【手続補正書】
【提出日】平成22年1月8日(2010.1.8)
【手続補正１】
【補正対象書類名】特許請求の範囲
【補正対象項目名】全文
【補正方法】変更
【補正の内容】
【特許請求の範囲】
【請求項１】
テープと紐を装備したテープカッターにて、紐の束をテープの紙管部分に装備しても片手でテープと紐を使う作業を実現する為、テープの外周部にホルダーの穴を設け、紐をテープと同じ作業方向へ操作するガイドを具備する事で片手での作業をスムーズに行えるテープカッターを提供する。
【請求項２】
請求項１記載のテープカッターにて、テープをカットする山形の刃の中央に溝を作り、溝の奥に紐をカットする為のカッターの刃を合わせて取り付け、テープと紐それぞれを同時、又は、紐に貼り付いたテープだけをカット出来るカッターの刃を特徴とするテープカッターを提供する。
【請求項３】
請求項１と２のテープカッターにて、テープを貼り付ける時に、作業者の任意な長さで、テープ接着面の中央に、紐を接着させる紐付きテープを作り、紐を引っ張ることでテープを剥がすか、中央よりテープを引き裂き蓋の開梱に便利なテープを作業者が作りながら貼る事の出来るテープカッターを提供する。
【手続補正２】
【補正対象書類名】明細書
【補正対象項目名】全文
【補正方法】変更
【補正の内容】
【発明の詳細な説明】
【発明の名称】ひも付きテープカッター
【技術分野】
【０００１】  本発明は、例えば、封筒や段ボール箱など、蓋を閉じる時に使用するテープと物を結束する時に使用する紐の両方を装備したテープカッターに関し、テープと紐を装備しても、片手で保持する事が出来、テープ、紐、それぞれの作業も片手の指の操作で可能な構造を具備し、さらに、テープと紐を組み合わせて使用する事で実現した、作業効率を上げ、複合的な利便性を生み出す、テープカッターに関するものである。
【背景技術】
【０００２】  従来のテープカッターは、テープを貼り、テープを切るだけの機能の物が殆どであったが、荷物の梱包や物の結束などの作業時には、荷造り用の紐も併用して使う事が多く、一般的には、テープ、紐、はさみ、若しくは、カッターナイフ等の道具を個々で管理している事が多く、作業時には、それぞれを作業場所に用意する必要があり、作業の段取りに手間と時間がかかった。
また、これらは、作業時にもばらばらに置かれる事が多く、作業の上での効率が悪くなり、場合によっては、これらの道具を紛失する事や、梱包物に誤って道具を誤投入する事故が発生していた。【０００３】  また、従来は紐を使用した荷物の結束では、新聞紙、ダンボール、雑誌など、複数の物を重ねて結束する時に、紐の先端を片手で押さえ、重ねた結束物を崩さないように紐を巻き付ける必要があり、結束物を持ち上げるなどの重労働で力の弱い方は、結束物の量を減らす必要があった。そして、紐を巻き付けた後も、紐を縛る固定が困難で、結束の失敗で手間と時間がかかる事があり、場合によっては、結束不良の物が運搬途中で散乱する事故を起こす問題があった。【０００４】  しかし、この使用頻度の多いテープと紐を一つにしたテープカッターとしては、既に考案されている物はあるが、本体の大きさをコンパクトにする為、紐を収納するスペースをテープの紙管部分にする事で、片手で保持する部分が無くなり、小型テープカッターの良さである、片手で持ち作業出来る使い易さが失われており、どちらかと言うとテープと紐、２つの道具を１つの物にした、据え置き型のテープカッターになっていた。【０００５】  また、箱などの蓋を一時的に貼り付ける為に使用されるクラフトテープ、布テープ、ビニールテープなどは、箱を開梱場所へ運搬した後に開梱道具のカッターナイフなどを用意し、開梱作業後には、片付ける手間があった。【０００６】  そして、この箱の蓋などを開ける時には、カッターナイフなどの道具を使い、蓋の切れ目に合わせ、テープ中央を切り離して開梱作業を行うのだが、そうした場合にカッターナイフなどの鋭利な先端が、箱の蓋と蓋の張り合わせの隙間より深く入り込み、箱内の商品を傷つける事故が発生していた。【０００７】  また、はさみやカッターナイフなどを使わずに済むには、テープ側に開梱し易くする為の特殊な加工や、裁断用の紐を予め貼り付けた特殊なテープを開発、製造する必要があり、こうした特殊なテープを使用する事はコストアップにもなり、さらに開梱作業以外で使用する場合は特殊テープを使うには無駄になる事が考えられ、テープも別々で用意し、交換する手間が発生していた。
【発明の開示】
【発明が解決しようとする課題】
【０００８】  そこで、本発明は、テープや紐を使う作業時において、梱包時に使うクラフトテープ、布テープ、ビニールテープなどで使用するテープカッターに、荷造り等で使用するビニール紐や紙紐、麻紐などをテープの紙管部分に装備しても片手で保持する事が可能で、テープや紐を個々で使用する場合、例えば、テープの送り出しとカットする時の固定と紐の送り出しとカットする時の固定をする作業は、テープカッターを保持した手の指の操作で上述作業を実現する構造を、手を入れるホルダー部を従来のテープカッターに多いテープの紙管部分とは別の位置に設け、上記機能を実現する必要があった。【０００９】  また、テープと紐を装備したテープカッターにおいて、テープ、紐それぞれが片手で作業出来る為には、作業する方向や送り出しの向き、カットする位置を共通化する事で作業の共通化や単純化を図り、作業者の負担を減らす事が使い易さの向上になる。その為には、テープの紙管部に収納した紐の束より紐の先端がケースの穴より引出され、テープの送り出しと同じ方向へと向きを変える送りガイドを具備する必要があり、テープと同じ方向へと送られた紐は、テープをカットするカッターと同じ箇所で紐をカットする構造が必要である。【００１０】  そして、テープと紐をカットするカッターは、テープ、紐、それぞれ個別に使うときには、個々で切断出来る構造とする。しかし、使う目的に応じては、紐にテープを貼り付け、貼り付けたテープだけをカットしたい場合、例えば紐の仮止めの様な使い方をする時には、紐にテープを貼り付けテープだけをカットして紐は切らない事が出来る構造を目的とする。【００１１】  そして、上記テープカッターの機能を実現する事で、テープと紐を同時に使用する事も可能であり、考えられる効果の例として、雑誌や新聞など、何冊もまとめて縛る時に、紐の端を指で押さえるのでは無く、紐の端をテープで仮止めして、紐の結束補助として作業を簡単に行え、巻き付ける物を回転させるなどの単純な作業方法をしても、結束対象物を紐で縛る作業が簡単に出来る事を目的とする。【００１２】  そして、上記テープカッターを使う事でのさらなる目的として、段ボール箱等で一時的に梱包した後、開梱が必要な蓋と蓋の継ぎ目に沿って貼るテープとして、作業者の任意な長さでテープ中央に紐を貼り付けた紐付きテープ作る事を目的とする。
【課題を解決するための手段】
【００１３】  上記の目的を達成する為、第１の発明（請求項１記載の発明）に係わるテープカッターは、テープの紙管部分が紐の収納箇所である為、このテープカッターを片手で保持出来る構造にする為に、ホルダー部をテープの外形の形状に合わせた、外周部分に手の平が入る形状の穴を設け、この穴に手の平を入れる事で指を押さえる事無くテープカッター本体を保持する事を実現した。さらに、このホルダー穴の位置は、保持した手の指がテープ側面を押さえる指の配置を可能にし、テープの送り出しとカット時の固定が出来る重要な指の働きを可能にしている。そして、紙管に収めた紐の束は、紙管中央の穴より紐が取り出され、ガイドを経て前方のカッターへと送られるが、この紐を取り出す穴の位置が、ホルダーに通した手の親指が操作出来る範囲に適した位置関係にあり、例えば、紐の送り出しとカット時の固定をするガイドを具備する事で、紐の送り出しとカット時の固定操作を実現出来る、指の位置関係に重要なホルダーを形成する事が出来た。【００１４】  上述に記した、片手の親指で操作を可能にするガイドの一例として、紐は、紙管中央の穴より取り出され９０度程カッター前方へと方向を変える為、緩やかなカーブを形成しており、紐は溝に沿って入れ込む事でガイドへのセットを簡単に行え、紐をカットする時は、そのガイドを本体側に倒す事で、溝を通る紐がストッパーに挟み込まれ、紐の送り出しを固定し、カットし易くするストッパーガイドを具備する事で、片手の親指だけでの操作を可能にしている。【００１５】  上記ガイドより、送り込まれた紐は、テープカッター側面に開けられた穴よりパイプを通して、再度テープカッター本体内に入り、カッター手前のテープ中央部に送り出され、テープと同じ作業方向で引出し、カットするカッターの位置も、テープと同じ箇所に配置する事が出来た。【００１６】  また、紐が送り出される出口には、テープの取り出しと貼り付け時の押さえとして機能するローラーが配置され、取り出された紐がテープの接着面に貼り付く起点となり、テープに紐を貼り付けたと同時に引出す事が実現出来た。【００１７】  そして、第２の発明（請求項２記載の発明）として、紐を仮止めする様な時は、紐を切らずにテープを切断する必要があり、紐を貼り付けたテープを切断するカッターは、一般的なテープカッターで良く使われる形状の、ギザギザ状の山の刃が並ぶ形で良いが、そのギザギザの中央部分に、紐を逃がす為の溝を特徴とし、紐を貼り付けたテープを切る時には、この溝の役割として、テープと紐の切断する高さに差が有り、テープは切断するが紐の切断を防ぐ事を可能にし、紐を切断する場合は、溝の奥に配した紐用カッター刃が、紐を溝奥深く押し当てる事で紐の切断を実現した、テープと紐を切断出来るカッター刃を具備したテープカッターを特徴とする。【００１８】  上記、機能を流用する事で、第３の発明（請求項３記載の発明）は、クラフトテープ、布テープ、ビニールテープなどのテープの中央部分にビニール紐や紙紐、麻紐などを貼り付けたテープを作業者が任意の長さで作りながら取り出す事が出来、この紐を貼り付けたテープを封筒やダンボール箱などの、開梱が必要な蓋の箇所に貼り付ける事で、はさみやカッターナイフを使わず、開梱時の作業では、テープ先端より出ている紐を引っ張り上げる事で、テープを剥がすか、紐の力によりテープ中央が裂ける事で蓋と蓋を止めていたテープを破断出来る特殊なテープを作業者が任意な長さで作りながら貼ることが出来るテープカッターを提供する。【００１９】  そして、開梱する以外の場所をテープで止める場合は、通常のテープだけを使用する事も出来、１つのテープカッターで通常のテープ使用と開梱し易い紐付きテープを作業者が任意に操作、貼る事が出来るテープカッターを提供する。
【発明を実施するための最良の形態】
【００２０】  以下より、添付図面を使い本発明の解説を行います。図１は、本発明の基本となる部品の構成を表している。テープカッター１は、テープ２の紙管を支えるホルダーのパイプ部分に入る紐３を表し、テープ本体２と紐３がテープカッターから脱落しない様に蓋４にて止める構造になっている。ホルダー８は、右手の親指以外の指を入れる事ができ、テープカッターを片手の手の平で安定して保持出来る構造とし、そして親指以外の指でテープの固定と開放の操作を行う事が出来る。また、紐の取り出し穴５より引出した紐は、ストッパーガイド６を通り、紐の送りパイプ７よりテープの接着面へ送られる。上記ストッパーガイド６を親指で操作する事で紐の送りと固定の操作が出来る構造を表した、斜視図ならびに透視図です。【００２１】  図２は、上記テープカッターの反対面を表した斜視図ならびに透視図です。テープ２を固定する為と紐の束を収納する為の蓋４が固定する構造を表しています。蓋４の内側には、突起９があり、溝１０に突起９が入り、時計方向にスライドする事でテープ２を固定し収納される紐の束を脱落しない構造になっている。また、突起９の挿入口の溝１０は、テープの引き出しによる回転摩擦とは逆の方向にあり、テープの回転にてロックが外れない構造を特徴としている。【００２２】  図３は、テープカッター１を保持し、紐を固定するストッパーガイド６を親指１１にて押さえる様子を表した斜視図です。【００２３】  図４は、テープカッターを保持するグリップ８から指を入れ、人差指、中指１２、薬指を使ってテープの引出しと固定を操作する位置関係を表した斜視図です。【００２４】  図５は、ストッパーガイド６が垂直に立てた状態で、紐３が開放され、引出し可能状態にあることを表している。【００２５】  図６は、図５の拡大断面図になり。テープカッター本体１の紐の取り出し穴５より引出された紐３は、ストッパーガイド６の案内で垂直に引出される様子を表しています。また、ストッパーガイド６は、シャフト１５を中心に略９０度可動する構造になっており、スプリング１６によって垂直を保つ力が働いている様子を表している。【００２６】  図７は、ストッパーガイド６が、略９０度倒した状態で、紐３が、固定されている様子を表している。【００２７】  図８は、図７の拡大断面図になり。テープカッター本体１の紐の取り出し穴５より引出された紐３は、ストッパーガイド６の案内で送りガイド１８に沿って送られるのだが、ストッパーガイド６を略９０度倒す事で、送りガイド１８の途中にあるストッパー穴１７に、ストッパー１３が入り、紐３を挟み込み、テープカッター本体１より紐３を引出されるのを固定する様子を表している。【００２８】  図９は、テープ本体２から送り出されるテープの接着面と紐３がテープ本体２の紙管部分のスペースから取り出され、紐の送りパイプ７を通って、送りローラー１９の位置で接着する様子を表した、解説図である。【００２９】  図１０は、テープと紐を個々に任意な長さでカットする為で、カッター部ベース２３にカッター刃（テープ用）２３が留めネジ２２で固定する、そのギザギザ部の中央には、紐を逃がす為の溝があり、この溝が、紐を切らずにテープだけを切る事が出来る２段構���になる。また、紐を切る場合は、紐をより奥まで押し込む事で、カッター刃（紐用）２０にて切断出来る構造を表した、解説図である。
【実施例】
【００３０】  図１１は、廃品回収など、新聞紙、ダンボール、雑誌２４などをまとめる為に紐３で縛る作業において、紐３の先端を上記、テープカッターを使い一部をテープ２６にて仮止めする事で、紐３を結束物に容易に巻き付ける事が可能になり、重い物や大きい物に対しての結束に最良の効果を簡単に一実施例として表した解説図である。【００３１】  図１２は、販売元が製品の出荷する場合などに、梱包するダンボール箱２５の組立時には、通常のテープとして箱の接合部を貼り付け、客先が後に開梱を必要とする箱の蓋の接合部は、上記発明にて作られた紐付きテープを使うことで、客先は、カッターなどの開梱道具を用意、使用する事無く、紐３を引っ張る事で、テープ２６を剥がすか、中心を破断させ、容易な開梱作業が可能な一実施例を表した解説図である。
そして、この開梱を容易にするテープ２６を使う事で、販売元は、顧客サービスとして利用出来る事が考えられる。
また、同様に、引越し作業などでの一時的に梱包する段ボール箱などでも、同様のテープ２６が有効に利用出来る事が考えられる。
【図面の簡単な説明】
【図１】  本発明のテープカッターを構成しているテープと紐の関係を表した斜視図ならびに透視図です。
【図２】  上記テープカッターの反対側を示し、テープの紙管を支え、紐の束が入るケース部の斜視図ならびに透視図です。
【図３】  上記テープカッターの運用方法で、作業者が右手に装着している様子を示す斜視図である。
【図４】  上記テープカッターの反対側を示し、作業者の指とテープの位置を表す斜視図である。
【図５】  上記テープカッターの紐のストッパーガイドが開放状態を正面から表した透視図です。
【図６】  上記紐のストッパーガイドの開放状態を表した断面図である。
【図７】  上記テープカッターの紐のストッパーガイドが紐をロックした状態を正面から表した透視図です。
【図８】  上記紐のストッパーガイドが紐をロックした状態を表した断面図である。
【図９】  本発明のテープの接着面に紐が送られ、接着出来る部分を表した解説図である。
【図１０】  本発明のテープと紐を切断するカッター部分を構成している部分を表した解説図である。
【図１１】  本発明の一実施例における、雑誌の束を紐で結束する方法を表した斜視図である。
【図１２】  本発明の一実施例における、ダンボール箱での使用でテープと紐を同時に使用した時の効果を表した斜視図である。
【符号の簡単な説明】
１  テープカッター本体（正面側）
２  テープ本体（クラフトテープ、布テープ、ビニールテープなど）
３  紐（ビニール紐や紙紐、麻紐など）
４  蓋
５  紐の取り出し穴
６  ストッパーガイド
７  紐の送りパイプ
８  ホルダー
９  突起
１０  溝
１１  親指
１２  中指
１３  ストッパー
１４  ガイド固定部
１５  シャフト
１６  スプリング
１７  ストッパー穴
１８  送りガイド
１９  送りローラー
２０  カッター刃（紐用）
２１  カッター刃（テープ用）
２２  留めネジ
２３  カッター部ベース
２４  雑誌
２５  ダンボール箱の蓋
２６  テープ